(57)【要約】【課題】あらかじめ洗濯機が運転している場合には、情報表示端末装置からインターネット上のネットコースを閲覧及び、操作、その情報をダウンロードできないようにすること。【解決手段】情報表示端末装置１とネットワーク接続される洗濯機２とからなり、前記洗濯機２が運転中の場合は、情報表示端末装置１によってネットコースを表示できないようにした洗濯機を有し、これによって、事前に洗濯機２が運転中の場合は、ネットコースの閲覧などを禁止することにより、非常に効率的に洗濯を行うことができる。これによって得られる効果としては、電波の事情が悪いなどの理由で、情報表示端末装置１から洗濯機２へのネットコース情報１６の転送に失敗するというまでの手間・時間を省くという効果が得られる。【選択図】図２
2005110841.tif 000002
【特許請求の範囲】
【請求項１】
情報表示端末装置と洗濯機がネットワーク接続されたシステムで、前記洗濯機が運転中の場合は、前記情報表示端末装置によって特定の洗い方の情報（以下、ネットコースと呼ぶ）を表示しない洗濯機。
【請求項２】
通信手段を介して、情報表示端末装置によって特定のネットコースの情報を閲覧及び、操作ができ、前記通信手段によって、前記情報表示端末装置にダウンロードを行う請求項１に記載の洗濯機。
【請求項３】
通信手段からダウンロードした請求項２に記載のネットコースの情報を、無線によって情報表示端末装置からネットワーク接続された洗濯機へ転送する請求項１に記載の洗濯機。
【請求項４】
通信手段を介して、情報表示端末装置によって特定のネットコースの情報を閲覧及び、操作ができ、前記通信手段によって、前記情報表示端末装置にダウンロードを行うことができ、さらにダウンロードされた前記ネットコースの情報を無線でネット接続された洗濯機へ転送する一連の操作を連続的に行う請求項１に記載の洗濯機。
【請求項５】
あらかじめ洗濯機が運転中の場合には、通信手段を介して、情報表示端末装置によって特定のネットコースの情報を閲覧及び、操作ができない請求項１に記載の洗濯機。
【請求項６】
通信手段を介して、情報表示端末装置によって特定のネットコースの情報を閲覧及び、操作ができない旨を請求項５に記載の情報表示端末装置の画面に、異常報知として表示する請求項１及び請求項５に記載の洗濯機。
【請求項７】
あらかじめ洗濯機が運転中の場合には、通信手段を介して、情報表示端末装置によって特定のネットコースの情報をダウンロードできない請求項１に記載の洗濯機。
【請求項８】
通信手段を介して、情報表示端末装置によって特定のネットコースの情報をダウンロードできない旨を請求項７に記載の情報表示端末装置の画面に、異常報知として表示する請求項１及び請求項７に記載の洗濯機。
【請求項９】
あらかじめ洗濯機が運転中の場合には、通信手段を介して、情報表示端末装置によって特定のネットコースの情報を閲覧及び、操作、前記情報表示端末装置にダウンロード、さらにダウンロードされた前記ネットコースの情報を無線でネット接続された洗濯機へ転送する一連の操作を、途中でポップアップ表示を行うなどして、連続的に行うことができない請求項１に記載の洗濯機。
【請求項１０】
通信手段を介して、情報表示端末装置によって特定のネットコースの情報を閲覧及び、操作、前記通信手段によって、前記情報表示端末装置にダウンロードできない旨を請求項９に記載の情報表示端末装置の画面に、異常報知として表示する請求項１及び請求項９に記載の洗濯機。
【請求項１１】
コンピューターに請求項１〜１０記載の洗濯機の機能の少なくとも一つを実施させるプログラム。
【発明の詳細な説明】
【技術分野】
【０００１】
本発明は、ネットワーク接続された情報表示端末装置と洗濯機に関するものである。
【背景技術】
【０００２】
従来の洗濯機では、今まで洗い方がわからなかった衣類や新素材の衣類の洗濯方法をインターネット上からダウンロードし、全自動洗濯機の一連の動作（洗い・すすぎ・脱水）において、そのダウンロードした選択方法通りによって洗濯されるシステムが考案されている（特許文献１、２参照）。
【特許文献１】特開２００３−４７０７４号公報
【特許文献２】特開２００２−１８６０５７号公報
【発明の開示】
【発明が解決しようとする課題】
【０００３】
しかしながら、従来の洗濯機には、次のような問題があった。インターネット上のネットコースを情報表示端末装置にて閲覧し、気に入ったネットコースがある場合には、インターネットから情報表示端末装置にダウンロードを行い、情報表示端末装置にダウンロードしたネットコースを製品へ転送するが、気に入ったネットコースを情報表示端末装置にダウンロードできても、洗濯機が運転中の場合は、ノイズなどの通信状況に左右され、洗濯機への転送に失敗するなどの現象が発生する。また、洗濯中にその洗濯プログラムを書き換えてしまった場合、動作が不安定になるなどの問題が生ずる。
【０００４】
本発明は、このような従来の問題を解決するためになされたもので、あらかじめ洗濯機が運転している場合には、情報表示端末装置からインターネット上のネットコースを閲覧及び、操作、その情報をダウンロードできないようにした。
【課題を解決するための手段】
【０００５】
従来の課題を解決するために、本発明は、情報表示端末装置とネットワーク接続される洗濯機とからなり、前記洗濯機が運転中の場合は、情報表示端末装置によってネットコースを表示しないようにした洗濯機である。これによって、事前に洗濯機が運転中の場合は、ネットコースの閲覧及び、操作を禁止したり、特定のネットコースがあった場合にインターネットから情報表示端末装置にダウンロードをできなくすることにより、ノイズなどの通信状況に左右されることによって、洗濯機への転送に失敗するなどの課題を解決できる。
【発明の効果】
【０００６】
本発明によれば、情報表示端末装置とネットワーク接続される洗濯機とからなり、前記洗濯機が運転中の場合は、情報表示端末装置によってネットコースを表示しないようにした洗濯機である。これによって、事前に洗濯機が運転中の場合は、ネットコースの閲覧及び、操作を禁止したり、気に入ったネットコースがあった場合のインターネットから情報表示端末装置にダウンロードをできなくすることにより、電波の事情が悪いなどの理由で、情報表示端末装置から洗濯機への転送に失敗するというまでの手間・時間を省くことができ、最初から転送の禁止や、情報表示端末装置のネットコースの閲覧、操作を禁止したり、インターネット上のネットコースのダウンロードを禁止することで非常に効率的に洗濯を行うことができる。
【発明を実施するための最良の形態】
【０００７】
第１の発明は、情報表示端末装置と洗濯機がネットワーク接続されたシステムで、前記洗濯機が運転中の場合は、前記情報表示端末装置によってネットコースを表示しない洗濯機である。これによって、事前に洗濯機が運転中の場合は、ネットコースの閲覧及び、操作を禁止したり、特定のネットコースがあった場合にインターネットから情報表示端末装置にダウンロードをできなくすることにより、ノイズなどの通信状況に左右されることによって、洗濯機への転送に失敗するなどの手間・時間を省くことができ、非常に効率的に洗濯を行うことができる。
【０００８】
第２の発明は、通信手段を介して、情報表示端末装置によって特定のネットコースの情報を閲覧及び、操作ができ、前記通信手段によって、前記情報表示端末装置にダウンロードを行うことができる。
【０００９】
第３の発明は、通信手段からダウンロードした第２の発明に記載のネットコースの情報を、無線によって情報表示端末装置からネットワーク接続された洗濯機へ転送することができ、これによって、そのネットコースで洗濯を行うことができる。
【００１０】
第４の発明は、通信手段を介して、情報表示端末装置によって特定のネットコースの情報を閲覧及び、操作ができ、前記通信手段によって、前記情報表示端末装置にダウンロードを行うことができ、さらにダウンロードされた前記ネットコースの情報を無線でネット接続された洗濯機へ転送する一連の操作を連続的に行うことができる。これによって、一度、インターネットから情報表示端末装置にダウンロードを行えば、情報表示端末装置を操作して洗濯機に転送する手間が省け、自動的にその洗い方をダウンロードしたネットコースの情報を無線などによって、ネット接続された洗濯機へ転送することができる。
【００１１】
第５の発明は、あらかじめ洗濯機が運転中の場合には、通信手段を介して、情報表示端末装置によって特定のネットコースの情報を閲覧及び、操作ができないようにした。これによって、ノイズなどの通信状況に左右され、洗濯機への転送に失敗することがないようにした。
【００１２】
第６の発明は、通信手段を介して、情報表示端末装置によって特定のネットコースの情報を閲覧及び、操作ができない旨を第５の発明に記載の情報表示端末装置の画面に、異常報知として表示する。これによって、ユーザーは洗濯中にはインターネット上のネットコースを閲覧及び、操作ができないことをこの異常報知によって認識することが可能となる。
【００１３】
第７の発明は、あらかじめ洗濯機が運転中の場合には、通信手段を介して、情報表示端末装置によって特定のネットコースの情報をダウンロードできないようにした。これによって、ノイズなどの通信状況に左右されることによって、洗濯機への転送に失敗することがないようにした。
【００１４】
第８の発明は、通信手段を介して、情報表示端末装置によって特定のネットコースの情報をダウンロードできない旨を第７の発明に記載の情報表示端末装置の画面に、異常報知として表示するようにした。これによって、ユーザーは洗濯中にはインターネット上のネットコースをダウンロードできないことをこの異常報知によって認識することが可能となる。
【００１５】
第９の発明は、あらかじめ洗濯機が運転中の場合には、通信手段を介して、情報表示端末装置によって特定のネットコースの情報を閲覧及び、操作、前記情報表示端末装置にダウンロード、さらにダウンロードされた前記ネットコースの情報を無線でネット接続された洗濯機へ転送する一連の操作を、途中でポップアップ表示を行うなどして、連続的に行うことができないようにした。これによって、ノイズなどの通信状況に左右されることによって、洗濯機への転送に失敗することがないようにした。
【００１６】
第１０の発明は、通信手段を介して、情報表示端末装置によって特定のネットコースの情報を閲覧及び、操作、前記通信手段によって、前記情報表示端末装置にダウンロードできない旨を第９の発明に記載の情報表示端末装置の画面に、異常報知として表示するようにした。これによって、洗濯中にはインターネット上のネットコースを閲覧及び、操作、ネットコースのダウンロードができないことをこの異常報知によってユーザーは認識することが可能となる。
【００１７】
第１１の発明は、第１から第１０の発明いずれか１項記載の機能の少なくとも一部をコンピューターで実行させるプログラムで、これによって運用途中でのプログラムの変更や追加を行うことができるので、新たな仕様変更に対応できる。
【００１８】
以下、本発明の実施例について、図面を参照しながら説明する。
（実施の形態１）
図１は、本発明の情報表示端末装置を含むネットワークシステムの構成例である。
【００１９】
図１において、ネットワーク接続される洗濯機とその周辺の情報端末装置のシステム構成について説明する。情報表示端末装置１は宅内に設置されている。そして、情報表示端末装置１は洗濯機２と無線の家庭内ＬＡＮを構成している。宅内に設置された情報表示端末装置１は外部の通信ネットワーク３を介してデータセンター等に設置されるセンターサーバー４と接続している。センターサーバー４には洗濯機の洗い方の情報（ネットコース）の他、天気予報やニュース、販売店の情報、公共施設の空き情報などが常に最新の状態に更新されて記憶されている。これらセンターサーバー４に蓄積されている情報は情報表示端末装置１を操作することにより、情報表示端末装置１から情報の要求信号が通信ネットワーク３を介してセンターサーバー４に送信され、要求された情報が、センターサーバー４から通信ネットワーク３を介して情報表示端末装置１に送信され、情報表示端末装置１ではその受信した情報を表示するというシステムである。
【００２０】
次に情報表示端末装置１と洗濯機２の間のやり取りを説明する。情報表示端末装置１では、情報表示端末装置１と無線ネットワークでつながれた洗濯機２の現在の状態をモニターし、情報表示端末装置１の表示画面によって表示する。具体的には、洗濯機２の状態に変化（例えば、洗濯機の運転コースの開始や、運転コースの終了などの状態の変化）があった際に、洗濯機２から変化した状態を無線を用いて、情報表示端末装置１に通知し、その変化した状態を情報表示端末装置１の表示画面に表示する。また、これらは状態を表示するだけでなく、遠隔操作も可能であり、情報表示端末装置１の画面のタッチパネルなどから洗濯機２へ運転の指示を出すことや、携帯電話５などから情報表示端末装置１を経由して洗濯機２へ操作することも可能である。以上がネットワーク接続された洗濯機とその周辺の情報表示端末装置のシステム構成についての説明である。
【００２１】
図２は情報表示端末装置と洗濯機とのブロック構成図である。インターネットなどの通信インフラ６と、情報表示端末装置１と、情報表示端末装置１内部にその通信インフラ６を受信する通信手段７と、通信インフラ６によって送られてきた情報を制御する制御手段８と、その結果をユーザーに報知するための表示手段９とを有し、情報表示端末装置１とネットワーク接続された洗濯機２と、情報表示端末装置１と洗濯機２と情報をやり取りする各種情報１３と、洗濯機２内部に各種情報１３を送受信する通信手段１０と、各種情報１３を制御する制御手段１１と、制御手段１１からの命令により実際に洗濯を行う駆動手段１２とを有する。ここでいう通信インフラ６とは、アナログ電話回線・ＩＳＤＮ回線・ＡＤＳＬ回線・ＦＴＴＨ回線・ＣＡＴＶ回線等である。この回線は、ユーザーの家庭が導入している上記各種回線種別を利用することとする。
【００２２】
図３は図２の情報表示端末装置１と洗濯機２との一連のやり取りの流れを示したチャートである。このチャートを追って説明する。Ｓ１において、まずユーザーが情報表示端末１からネットコースを行おうとする。するとＳ２では、情報表示端末１は洗濯機２が運転中かどうか無線を使って確認をしに行く。そこでＳ３の様に、洗濯機２が運転中の場合には、Ｓ４の様に、情報端末表示１はネットコースのサービスをできない旨をポップアップ通知などによって画面に表示することで、ユーザーにわかりやすく認識させることが可能である。一方、Ｓ５の様に、洗濯機２が非運転中の場合には、Ｓ６において、ネットコースの閲覧・操作が可能であり、Ｓ７の様に、ネットコースのＤＬ（ダウンロード）が可能となる。
【００２３】
図４は洗濯機が運転中（例：すすぎ）の場合の図である。この運転中の洗濯機のコースはネットコースでダウンロードしたものと、そうでないもの（洗濯機の操作パネルに装備されている普通の洗濯コース）どちらでも構わない。次にその洗濯中に次の洗濯の準備をしようと、インターネットを介して、図５の画面表示１５のようにネットコースを閲覧し、気に入った洗濯のネットコースの情報であるインターネットダウンロード情報１４を情報表示端末装置１へダウンロードする。その後、情報表示端末装置１から洗濯機２へネットコースの情報を無線によって転送する（ネットコース情報１６）。すると、洗濯機２が運転中であるので、無線の電波が不安定になり転送に失敗し、図６の画面表示１５のような文言が表示される。
【００２４】
そこで、洗濯中に情報表示端末装置１から洗濯機２へネットコース情報１６を転送して毎回失敗するのであれば、洗濯中には情報表示端末装置１から洗濯機２へネットコース情報１６を無線によって転送すること自体禁止することによって、前もってその旨を情報表示端末装置１に異常報知として図７の画面表示１５のように画面表示したり、又は、ネットコースの閲覧を禁止したりして操作不能にし、ネットコース情報１６を転送できないようにする。これによって、電波の事情が悪いなどの理由から洗濯機２へのネットコース情報１６の転送に失敗することがないようにし、失敗するまでの手間・時間を省くことができる。また洗濯機２が洗濯中にはユーザーはインターネット上のネットコースを閲覧及び、操作、ダウンロードができないことをこの異常報知によってあらかじめ認識させることが可能となることにより、非常に効率的に洗濯を行うことができる。
【００２５】
（実施の形態２）
図５は、本発明の情報表示端末装置を含むネットワークシステムの構成例である。
【００２６】
図５において、基本的には実施の形態１と同様であるが、実施の形態１と大きく異なるのは、気に入ったネットコースがあった場合、インターネットダウンロード情報１４のように、インターネットを介して、情報表示端末装置１によって閲覧及び、操作ができ、インターネットから情報表示端末装置１にダウンロードを行い、その洗い方をインターネットダウンロード情報１４を無線でネット接続された洗濯機へ転送するという一連の操作を連続的に行うという点である。
【００２７】
洗濯機２が運転中でない場合は、この一連の操作は非常に便利で有効である。しかし、仮に洗濯機２が運転中であった場合、図６のように、インターネットダウンロード情報１４を無線でネット接続された洗濯機へ転送すると、やはり無線の電波が不安定になり、画面表示１５の様に、ネットコースの洗濯機２への転送が失敗する可能性が高い。
【００２８】
そこで、インターネットからインターネットダウンロード情報１４を情報表示端末装置１にダウンロードし、その洗い方の情報を含んだネットコース情報１４を無線でネット接続された洗濯機２へ転送するという一連の操作を連続的に行う場合には、あらかじめ情報表示端末装置１から洗濯機２へネットコース情報１４を無線によって送信すること自体を禁止し、前もってその旨を情報表示端末装置１に異常報知として画面表示するか、又は、ネットコースの閲覧を禁止したりして操作不能にし、ネットコース情報１６を転送できないようにする。そうすることによって、洗濯機２が運転中にインターネットダウンロード情報１４を無線でネット接続された洗濯機２へ転送しても失敗するというまでの手間・時間を省くことができ、非常に効率的に洗濯を行うことができる。
【産業上の利用可能性】
【００２９】
本発明によれば、情報表示端末装置とネットワーク接続される洗濯機とからなり、前記洗濯機が運転中の場合は、情報表示端末装置によってネットコースを表示できないようにした洗濯機である。これによって、事前に洗濯機が運転中の場合は、ネットコースの閲覧及び、操作を禁止したり、気に入ったネットコースがあった場合のインターネットから情報表示端末装置にダウンロードをできなくすることにより、電波の事情が悪いなどの理由で、情報表示端末装置から洗濯機への転送に失敗するというまでの手間・時間を省くことができ、最初から転送の禁止や、情報表示端末装置のネットコースの閲覧、操作を禁止したり、インターネット上のネットコースのダウンロードを禁止することで非常に効率的に洗濯を行うことができる。
【図面の簡単な説明】
【００３０】
【図１】本発明の実施の形態１におけるシステム図
【図２】情報表示端末と洗濯機の情報のやり取りのブロック図
【図３】情報表示端末と洗濯機の情報のやり取りのフローチャート
【図４】本発明の実施の形態１における洗濯機がすすぎ中の表示例図
【図５】本発明の実施の形態１及び２の洗濯コースの表示例図
【図６】本発明の実施の形態１及び２の転送失敗の表示例図
【図７】本発明の実施の形態１における端末操作不可の表示例図
【符号の説明】
【００３１】
１  情報表示端末装置
２  洗濯機
３  通信ネットワーク
４  センターサーバー
５  携帯電話
６  通信インフラ
７  通信手段
８  制御手段
９  表示手段
１０  通信手段
１１  制御手段
１２  駆動手段
１３  各種情報
１４  インターネットダウンロード情報
１５  画面表示
１６  ネットコース情報
【図１】
2005110841.tif 000003
【図２】
2005110841.tif 000004
【図３】
2005110841.tif 000005
【図４】
2005110841.tif 000006
【図５】
2005110841.tif 000007
【図６】
2005110841.tif 000008
【図７】
2005110841.tif 000009